(57)【要約】【課題】低天井空間側から見た開口部周辺の見栄えが損なわれるのを抑制することができる開口部の額縁構造を提供する。【解決手段】脱衣室１１と浴室１２とを仕切る間仕切壁１３には出入口１４が形成され、その出入口１４には浴室ドア１６とそれを支持するドア枠１５が取り付けられている。脱衣室１１には、その天井部に下がり天井としての天井面材３７が設けられている。天井面材３７は、その下面が壁面材２４の開口部２８の開口上端と略同じ高さ位置に設定されている。出入口１４の上縁部には、ドア枠１５よりも脱衣室１１側に上額縁４１が設けられている。上額縁４１は、上下方向に延びるとともに、天井面材３７の下面側に設けられることで脱衣室１１に面して配置された前板部４１ａと、前板部４１ａの下端部からドア枠１５側へ延出し、ドア枠１５の上枠部分に固定された延出板部と、を有する。【選択図】      図４
2015055072.tif 000002
【特許請求の範囲】
【請求項１】
建具により開閉されるとともに該建具を支持する建具枠が内側に取り付けられた開口部を有する壁体を備え、
前記壁体に面して設けられた屋内空間は、その天井部に下がり天井が設けられた低天井空間となっており、
前記下がり天井は、その端面を前記壁体の壁面に対して対向させて設けられており、その下面が前記壁面にて開口された前記開口部の壁面開口の上端位置と略同じ高さ位置に設定されている建物に適用され、
前記開口部の周縁部には、前記建具枠よりも前記低天井空間側に額縁が設けられている開口部の額縁構造であって、
前記額縁として、前記開口部の上縁部に沿って設けられた上額縁を備え、
前記上額縁は、
上下方向に延びるとともに、前記下がり天井の下面側に設けられることで前記低天井空間に面して配置された前板部と、
前記前板部の下端部から前記建具枠側へ延出し、当該建具枠の上枠部分に固定された延出板部と、を有することを特徴とする開口部の額縁構造。
【請求項２】
前記開口部は、前記建具としてのドアにより開閉される出入口であり、その出入口の内側には前記建具枠としてのドア枠が設けられており、
前記ドア枠は、内側に前記ドアが開閉自在に取り付けられたドア枠本体と、そのドア枠本体から前記低天井空間側に突出し前記額縁を固定する突片とを有しており、
前記突片として、前記上枠部分の一部であってかつ前記上額縁を固定する上突片を有しており、
前記上突片は、前記壁体における前記出入口の上端面と上下に対向して設けられており、
前記延出板部は、
前記上突片と前記出入口の前記上端面との間に差し込まれ、その状態で前記上突片に固定された固定板部と、
前記固定板部の前記低天井空間側の端部と前記前板部の下端部とを連結する連結板部と、を有することを特徴とする請求項１に記載の開口部の額縁構造。
【請求項３】
前記固定板部は、前記上突片とともに前記出入口の前記上端面に対して共通の締結具により固定されていることを特徴とする請求項２に記載の開口部の額縁構造。
【請求項４】
前記連結板部は、
前記前板部の下端部から前記低天井空間とは反対側に向けて延びる横板部と、
前記横板部における前記低天井空間とは反対側の端部から上方に延びるとともに、上端部が前記固定板部の前記低天井空間側の端部と連結された後板部と、
を有しており、
前記前板部と前記横板部と前記後板部とによりコ字状をなしていることを特徴とする請求項２又は３に記載の開口部の額縁構造。
【請求項５】
前記前板部の上端部が前記固定板部の上面よりも低い位置に設定されていることを特徴とする請求項２乃至４のいずれか一項に記載の開口部の額縁構造。
【請求項６】
前記低天井空間は、前記壁体によって浴室と仕切られた浴室隣接空間であり、
前記出入口は、前記浴室隣接空間と前記浴室との出入りをするための浴室出入口であり、
前記浴室出入口の内側に設けられた前記ドア枠又は前記ドアの上端部付近には、前記浴室隣接空間と前記浴室との間を通気可能に連通する通気開口部が設けられており、
前記連結板部は、前記通気開口部と対向する対向板部を有しており、
前記対向板部と前記通気開口部との間には、当該通気開口部を通じた前記通気を確保するための通気確保スペースが形成されていることを特徴とする請求項２乃至５のいずれか一項に記載の開口部の額縁構造。
【請求項７】
前記額縁として、前記開口部の側縁部に沿って設けられた左右一対の縦額縁を備え、
それら各縦額縁はそれぞれ、前記壁体の前記壁面に重ねて設けられた前板部を有しており、
前記各縦額縁の前記前板部の幅と、前記上額縁の前記前板部の幅とがそれぞれ同じとなっていることを特徴とする請求項１乃至６のいずれか一項に記載の開口部の額縁構造。
【発明の詳細な説明】
【技術分野】
【０００１】
本発明は、開口部の額縁構造に関する。
【背景技術】
【０００２】
住宅等の建物では、浴室と脱衣室とが間仕切壁によって互いに仕切られており、その間仕切壁には、脱衣室から浴室へ出入りするための出入口が設けられている。出入口には、当該出入口を開閉する浴室ドアが設けられるとともに、そのドアを開閉自在に支持するドア枠が取り付けられている。
【０００３】
出入口の周縁部には、ドア枠よりも脱衣室側に額縁が設けられる（例えば特許文献１参照）。額縁には、出入口の上縁部に沿って設けられる上額縁と、出入口の側縁部に沿って設けられる縦額縁とがある。
【０００４】
額縁としては、図６に示すような、縦板部と横板部とを有する断面Ｌ字状の額縁６１，６２がよく用いられる。図６では、かかるＬ字型の上額縁６１が、その縦板部６１ａを間仕切壁６３における脱衣室側に面した壁面６３ａに重ね合わせ、かつ、その横板部６１ｂを間仕切壁６３における出入口６４の上端面６４ａに重ね合わせた状態で、間仕切壁６３に対してねじにより固定されている。より詳しくは、浴室ドア６５のドア枠６６の上枠部分には、脱衣室側に突出する突片６７が設けられ、その突片６７と出入口６３の上端面６４ａとの間に横板部６１ｂが差し込まれている。そして、その横板部６１ｂが突片６７とともにねじ６８により上端面６４ａに固定されている。
【先行技術文献】
【特許文献】
【０００５】
【特許文献１】特開平１１−３１５６６９号公報
【発明の概要】
【発明が解決しようとする課題】
【０００６】
ところで、住宅等の建物では、居室以外の空間を下がり天井とすることで天井裏スペースを上下に広くし、その広くした天井裏スペースを利用して空調装置や空調ダクト等の空調設備を設置する場合がある。例えば、上述の脱衣室を下がり天井として、その天井裏スペースを空調設備の設置スペースとして利用することが考えられる。
【０００７】
脱衣室が下がり天井とされる場合、その下がり天井が例えば出入口６４の上端面６４ａとほぼ同じ高さ位置に設置されることが考えられる。しかしながら、その場合、間仕切壁６３の壁面６３ａにおける出入口６４の上方部分が概ね天井裏に隠れてしまうこととなり、その上方部分を利用して上額縁６１を取り付ける（詳しくは上方部分に縦板部６１ａを重ね合わせる）ことが困難になってしまう。
【０００８】
また、下がり天井の端面と間仕切壁６３の壁面６３ａとの間に隙間を設け、その隙間を通じて縦板部６１ａを天井裏に差し入れるようにすれば、上額縁６１を取り付けることは可能となる。しかしながら、その場合、縦板部６１ａの大半が天井裏に入り込むことになるため、縦板部６１ａにおいて下がり天井よりも下方に配置される部分、すなわち縦板部６１ａにおいて脱衣室に面して配置される部分がわずかとなってしまう。そのため、脱衣室側から出入口６４周辺を見た場合に、上額縁６１（縦板部６１ａ）の幅（上下幅）が縦額縁の幅（横幅）に対して小さく見えてしまうことになり、出入口６４周辺の見栄えが悪くなってしまうことが懸念される。
【０００９】
本発明は、上記事情に鑑みてなされたものであり、低天井空間側から見た開口部周辺の見栄えが損なわれるのを抑制することができる開口部の額縁構造を提供することを主たる目的とするものである。
【課題を解決するための手段】
【００１０】
上記課題を解決すべく、第１の発明の開口部の額縁構造は、建具により開閉されるとともに該建具を支持する建具枠が内側に取り付けられた開口部を有する壁体を備え、前記壁体に面して設けられた屋内空間は、その天井部に下がり天井が設けられた低天井空間となっており、前記下がり天井は、その端面を前記壁体の壁面に対して対向させて設けられており、その下面が前記壁面にて開口された前記開口部の壁面開口の上端位置と略同じ高さ位置に設定されている建物に適用され、前記開口部の周縁部には、前記建具枠よりも前記低天井空間側に額縁が設けられている開口部の額縁構造であって、前記額縁として、前記開口部の上縁部に沿って設けられた上額縁を備え、前記上額縁は、上下方向に延びるとともに、前記下がり天井の下面側に設けられることで前記低天井空間に面して配置された前板部と、前記前板部の下端部から前記建具枠側へ延出し、当該建具枠の上枠部分に固定された延出板部と、を有することを特徴とする。
【００１１】
本発明によれば、上額縁において、その前板部が下がり天井の下面側に設けられているため、前板部の上下幅全域を低天井空間に面して配置することができる。これにより、上額縁の前板部の幅（上下幅）と縦額縁の前板部の幅（横幅）とを同じ幅にしたり近い幅にしたりすることができるため、低天井空間側から見た開口部周辺の見栄えが損なわれるのを抑制することができる。
【００１２】
また、上額縁には、前板部の下端部から建具枠側に延出し、その建具枠の上枠部分に固定される延出板部が設けられているため、前板部が下がり天井の天井下に配置される構成にあっても、建具枠（上枠部分）を利用した固定が可能となる。
【００１３】
第２の発明の開口部の額縁構造は、第１の発明において、前記開口部は、前記建具としてのドアにより開閉される出入口であり、その出入口の内側には前記建具枠としてのドア枠が設けられており、前記ドア枠は、内側に前記ドアが開閉自在に取り付けられたドア枠本体と、そのドア枠本体から前記低天井空間側に突出し前記額縁を固定する突片とを有しており、前記突片として、前記上枠部分の一部であってかつ前記上額縁を固定する上突片を有しており、前記上突片は、前記壁体における前記出入口の上端面と上下に対向して設けられており、前記延出板部は、前記上突片と前記出入口の前記上端面との間に差し込まれ、その状態で前記上突片に固定された固定板部と、前記固定板部の前記低天井空間側の端部と前記前板部の下端部とを連結する連結板部と、を有することを特徴とする。
【００１４】
屋内空間が通常の天井高さを有している場合には、上額縁として、例えば断面Ｌ字状のものが用いられる。かかるＬ字状の上額縁は、その横板部が、ドア枠の上枠部分において屋内空間側に突出する上突片と壁体における出入口の上端面との間に差し込まれて設けられ、その状態で上突片に対して固定されることが多い。そこで本発明では、（低天井空間用の）上額縁に、上突片と出入口の上端面との間に差し込まれ、その状態で上突片に対して固定される固定板部を設けている。この場合、前板部が上突片よりも下方へと延びている（低天井空間用の）上額縁について、Ｌ字状の上額縁と同じ固定構成で、換言するとＬ字状の上額縁と同じ高さ位置で、上突片に固定することが可能となる。そのため、（低天井空間用の）上額縁を用いる場合にも、Ｌ字状の（換言すると通常天井高さ用の）上額縁を用いる場合にも、上突片の高さ位置は同じ高さ位置であればよく、その結果、屋内空間が低天井空間であってもなくても同じ高さ寸法のドア枠（及びドア）を用いることが可能となる。これにより、ドア枠及びドアの共通化を図りながら、第１の発明の効果を得ることができる。
【００１５】
第３の発明の開口部の額縁構造は、第２の発明において、前記固定板部は、前記上突片とともに前記出入口の前記上端面に対して共通の締結具により固定されていることを特徴とする。
【００１６】
本発明によれば、固定部が上突片とともに出入口の上端面に対して共通の締結具により固定されているため、固定部をより安定した状態で固定することが可能となる。
【００１７】
第４の発明の開口部の額縁構造は、第２又は第３の発明において、前記連結板部は、前記前板部の下端部から前記低天井空間とは反対側に向けて延びる横板部と、前記横板部における前記低天井空間とは反対側の端部から上方に延びるとともに、上端部が前記固定板部の前記低天井空間側の端部と連結された後板部と、を有しており、前記前板部と前記横板部と前記後板部とによりコ字状をなしていることを特徴とする。
【００１８】
本発明によれば、上額縁において前板部と横板部と後板部とによりコ字状形状が形成されているため、前板部と横板部とによってＬ字形状が形成されている。そのため、縦額縁として断面Ｌ字状のものが用いられている場合には、上額縁と縦額縁との見栄えを合わせ易い。よって、この場合、出入口周辺の見栄えが損なわれるのをより一層抑制することができる。
【００１９】
第５の発明の開口部の額縁構造は、第２乃至第４のいずれかの発明において、前記前板部の上端部が前記固定板部の上面よりも低い位置に設定されていることを特徴とする。
【００２０】
ところで、低天井空間によっては、下がり天井の下面（天井面）が壁体における出入口の上端面（換言すると壁面開口の上端位置）よりも低い位置に設定されている場合がある。この点、本発明によれば、下がり天井の天井下に配置される前板部の上端部が、出入口の上端面に配置される固定部の上面よりも低い位置に設定されているため、かかる天井構成にあっても上額縁を取り付けることが可能となる。
【００２１】
第６の発明の開口部の額縁構造は、第２乃至第５のいずれかの発明において、前記低天井空間は、前記壁体によって浴室と仕切られた浴室隣接空間であり、前記出入口は、前記浴室隣接空間と前記浴室との出入りをするための浴室出入口であり、前記浴室出入口の内側に設けられた前記ドア枠又は前記ドアの上端部付近には、前記浴室隣接空間と前記浴室との間を通気可能に連通する通気開口部が設けられており、前記連結板部は、前記通気開口部と対向する対向板部を有しており、前記対向板部と前記通気開口部との間には、当該通気開口部を通じた前記通気を確保するための通気確保スペースが形成されていることを特徴とする。
【００２２】
壁体の浴室出入口に設けられるドア又はドア枠には、その上端部付近に通気開口部が設けられる場合がある。これに対して、第２の発明の上額縁では、前板部の下端部と固定板部とを上下に連結する連結板部が設けられているため、その連結板部によって通気開口部が塞がれてしまうことが懸念される。そこで本発明では、連結板部において通気開口部と対向配置される対向板部を通気開口部から離間させることで、通気開口部と対向板部との間に通気確保スペースを形成している。これにより、第２の発明の構成にあっても、上記スペースにより通気開口部を通じた浴室と浴室隣接空間との間の通気を確保することができる。
【００２３】
第７の発明の開口部の額縁構造は、第１乃至第６のいずれかの発明において、前記額縁として、前記開口部の側縁部に沿って設けられた左右一対の縦額縁を備え、それら各縦額縁はそれぞれ、前記壁体の前記壁面に重ねて設けられた前板部を有しており、前記各縦額縁の前記前板部の幅と、前記上額縁の前記前板部の幅とがそれぞれ同じとなっていることを特徴とする。
【００２４】
本発明によれば、上額縁の前板部の幅が縦板部の前板部の幅と同じ幅に設定されているため、低天井空間側から見た開口部周辺の見栄えが損なわれるのを顕著に抑制することができる。
【図面の簡単な説明】
【００２５】
【図１】脱衣室と浴室とを仕切る間仕切壁周辺の構成を示す縦断面図。
【図２】脱衣室側から出入口周辺を見た図。
【図３】額縁の構成を示す斜視図。
【図４】上額縁及びその周辺を拡大して示す縦断面図。
【図５】上額縁の別形態を示す横断面図。
【図６】従来における上額縁及びその周辺を示す縦断面図。
【発明を実施するための形態】
【００２６】
以下に、本発明を具体化した一実施の形態について図面を参照しつつ説明する。なお、図１は脱衣室と浴室とを仕切る間仕切壁周辺の構成を示す縦断面図である。
【００２７】
図１に示すように、住宅等の建物では、脱衣室１１と浴室１２とが間仕切壁１３により互いに仕切られている。間仕切壁１３には、脱衣室１１から浴室１２へ出入りするための出入口１４が設けられている。出入口１４の周縁部には、ドア枠１５が取り付けられており、ドア枠１５の内側には、出入口１４を開閉する浴室ドア１６が配設されている。浴室ドア１６は、折り戸（２枚折り戸）よりなり、浴室１２側に折り畳まれることで開状態となる構成となっている。
【００２８】
なお、脱衣室１１が浴室隣接空間に相当し、間仕切壁１３が壁体に相当し、出入口１４が開口部に相当し、ドア枠１５が建具枠に相当し、浴室ドア１６がドア及び建具に相当する。
【００２９】
間仕切壁１３は、脱衣室１１に面して設けられた壁パネル２１（第１壁パネルに相当）と、浴室１２に面して設けられた浴室壁２２（第２壁パネルに相当）とを備えて構成されている。壁パネル２１は、壁面材２４と、その壁面材２４の裏面側（脱衣室１１側）に固定された壁フレーム２５とを有している。壁面材２４は石膏ボードよりなる。壁面材２４には、出入口１４の一部を構成する開口部２８が形成されており、壁面材２４の表面にはクロス等の壁仕上げ材が貼り付けられている。
【００３０】
壁フレーム２５は、木製の角材からなる複数のフレーム材２６が矩形枠状に連結されることにより構成されている。それらフレーム材２６の一部は、出入口１４の周縁部に沿って配設された開口フレーム材となっている。開口フレーム材のうち、出入口１４の上縁部に沿って配設された開口フレーム材（以下、符号２６ａを付す。）は、その下面が壁面材２４の開口部２８の開口上端と同じ高さ位置に設定されている。なお、開口フレーム材２６ａの下面が「出入口の上端面」に相当する。
【００３１】
浴室壁２２は、浴室１２を形成する浴室ユニットＸの一部により構成されている。浴室壁２２には、出入口１４の一部を構成する開口部３１が形成されている。その開口部３１に対して浴室ドア１６のドア枠１５が配設されており、そのドア枠１５が浴室壁２２に対してビス２９により固定されている。具体的には、ドア枠１５は、内側に浴室ドア１６が配設されたドア枠本体１７と、そのドア枠本体１７から脱衣室１１側に突出する突片１８とを有している。ドア枠本体１７は、矩形枠状をなしており、その上下にそれぞれ浴室ドア１６の開閉移動を案内する案内レール１９を有している。そして、このドア枠本体１７が浴室壁２２に対して固定されている。なお、図１中の符号３２は浴室床であり、その浴室床３２も上記の浴室ユニットＸにより構成されている。
【００３２】
突片１８には、ドア枠本体１７の上辺部から突出する上突片１８ａと、ドア枠本体１７の左右の側辺部からそれぞれ突出する左突片１８ｂ及び右突片１８ｂとがある。これら各突片１８ａ，１８ｂはそれぞれ、壁パネル２１の開口フレーム材と対向する位置まで脱衣室１１側に延出し、その対向する開口フレーム材に対してビスにより固定されている。例えば、上突片１８ａは、開口フレーム材２６ａと上下に対向する位置まで延出し、開口フレーム材２６ａに対してビス５１により固定されている。
【００３３】
脱衣室１１の床部には、床梁３３の上面に床根太３４が設けられている。床根太３４の上面には床下地材３５が設けられ、その床下地材３５上には脱衣室１１の床面を形成する床仕上げ材３６が設けられている。床下地材３５はパーティクルボードからなり、床仕上げ材３６はフローリングからなる。
【００３４】
脱衣室１１の天井部には、当該脱衣室１１の天井面３８を形成する天井面材３７が設けられている。天井面材３７は、石膏ボードよりなり、その上方に設けられた野縁等の下地材（図示略）によって支持されている。天井面材３７は、浴室１２の天井面材（図示略）よりも低い位置に配設された下がり天井となっている。その下がり天井によって脱衣室１１は浴室１２よりも天井高さが低くされた低天井空間となっている。天井面材３７は、その天井面３８が壁面材２４の開口部２８の開口上端と略同じ高さ位置となるように配置され、より詳しくは、その天井面３８が開口部２８の開口上端よりも若干低い位置に位置するように配置されている。また、かかる配置状態において、天井面材３７は、その端面が間仕切壁１３における脱衣室１１側の壁面１３ａと当接している。なお、この壁面１３ａは壁面材２４の壁面によって形成されている。
【００３５】
天井面材３７を挟んだ脱衣室１１の上方には天井裏空間３９が形成されている。この天井裏空間３９は、天井面材３７が下がり天井とされていることにより上下に拡張された拡張スペースとなっており、この天井裏空間３９に空調装置や空調ダクト等の空調設備（図示略）が設置されている。
【００３６】
出入口１４には、その周縁部に沿って額縁４１〜４３が設けられている。以下、これら額縁４１〜４３の構成について図１に加え図２及び図３に基づいて説明する。なお、図２は脱衣室１１側から出入口１４周辺を見た図であり、図３は額縁４１〜４３の構成を示す斜視図である。
【００３７】
図１及び図２に示すように、額縁４１〜４３は、出入口１４においてドア枠１５（浴室ドア１６）よりも脱衣室１１側に設けられている。各額縁４１〜４３のうち、上額縁４１（上見切り材）が出入口１４の上縁部に沿って配設され、左右一対の縦額縁４２，４３（縦見切り材）がそれぞれ出入口１４の側縁部に沿って配設されている。これにより、脱衣室１１側から見た出入口１４周辺の意匠性が高められている。
【００３８】
縦額縁４２，４３は、図３に示すように、樹脂材料により上下に延びる長尺状に形成されており、その断面（長手方向と直交する方向の断面）がＬ字状をなしている。縦額縁４２，４３は、間仕切壁１３の壁面１３ａに重ねて設けられた前板部４２ａ，４３ａと、前板部４２ａ，４３ａの幅方向の端部（出入口１４側の端部）から浴室１２側に延びるとともに、（上下に延びる）開口フレーム材の側面（出入口１４側の面）に重ねて設けられた側板部４２ｂ，４３ｂとを有している。これら前板部４２ａ，４３ａと側板部４２ｂ，４３ｂとはそれぞれ開口フレーム材に対しビス等で固定されている。各縦額縁４２，４３はそれぞれ左右対称の形状を有しており、それ故各縦額縁４２，４３の前板部４２ａ，４３ａの幅Ｗ１，Ｗ２はいずれも同じ幅となっている（Ｗ１＝Ｗ２）。
【００３９】
上額縁４１は、縦額縁４２，４３と同じ樹脂材料により長尺状に形成されている。ここで、上述したように、本実施形態では、脱衣室１１の天井部に下がり天井が設けられている関係で、間仕切壁１３の壁面１３ａにおける出入口１４（開口部２８）の上方部分がほぼ天井裏に隠れた状態となっている。そのため、当該上方部分を利用してＬ字状の上額縁を取り付けることが困難となっている。そこで本実施形態では、上額縁４１については、その断面をＬ字断面とは異なる断面とし、それにより脱衣室１１に下がり天井が設けられている構成にあっても上額縁４１を見栄えよく取り付けることを可能としている。以下、かかる上額縁４１の構成について図３に加え図４に基づいて説明する。図４は、上額縁４１及びその周辺を拡大して示す縦断面図である。
【００４０】
図３及び図４に示すように、上額縁４１は、天井面材３７の下面側に設けられ上下方向に延びる前板部４１ａと、前板部４１ａの下端部から浴室１２側に延びる横板部４１ｂと、横板部４１ｂの浴室１２側端部から上方に延びる後板部４１ｃと、後板部４１ｃの上端部から浴室１２側に延び開口フレーム材２６ａと上突片１８ａとの間に差し込まれた差込板部４１ｄとを有する。
【００４１】
前板部４１ａは、その上下幅全体が脱衣室１１に面した状態で配置されており、その上端部が天井面材３７の天井面３８（下面）に当接している。また、前板部４１ａは、その脱衣室１１側の面が、各縦額縁４２，４３の前板部４２ａ，４３ａの脱衣室１１側の面とそれぞれ面一とされている。また、前板部４１ａの幅Ｗ３（上下幅）は、各前板部４２ａ，４３ａの幅Ｗ１，Ｗ２（横幅）と同じとなっている。
【００４２】
横板部４１ｂは、壁パネル２１の開口フレーム材２６ａの下方に設けられている。横板部４１ｂと開口フレーム材２６ａとの間には、木製角材よりなる下地材４５が上額縁４１に沿って配設され、その配設状態において横板部４１ｂが下地材４５を介して開口フレーム材２６ａにビス４６により固定されている。なお、ビス４６は、横板部４１ｂと下地材４５とを貫通した状態で開口フレーム材２６ａに打ち付けられている。また、横板部４１ｂの幅は、縦額縁４２，４３の側板部４２ｂ，４３ｂの幅と同じとなっている。
【００４３】
後板部４１ｃは、下地材４５を挟んで前板部４１ａと間仕切壁１３の壁厚み方向（以下、単に壁厚み方向という）に対向して配置されている。この後板部４１ｃと横板部４１ｂと前板部４１ａとによりコ字状部が形成されており、そのコ字状部の内側に上記の下地材４５が各板部４１ａ〜４１ｃとそれぞれ当接した状態で配設されている。
【００４４】
後板部４１ｃは、ドア枠１５の上端部付近に設けられた換気口４８と壁厚み方向に離間しかつ対向して配置されている。換気口４８は、脱衣室１１と浴室１２との間を通気可能に連通する通気開口部となっており、この換気口４８と後板部４１ｃとの間のスペースが換気口４８を通じた通気を確保するための通気確保スペース５２となっている。なお、後板部４１ｃが対向板部に相当し、後板部４１ｃと横板部４１ｂとにより連結板部が構成されている。
【００４５】
換気口４８は、ドア枠１５に設けられた開閉体４９により開閉可能とされている。開閉体４９は、浴室１２側へ回動することにより開状態となる構成を有している。本実施形態では、浴室１２の換気装置が作動して浴室１２内の圧力が脱衣室１１よりも低くなると、脱衣室１１と浴室１２との圧力差で開閉体４９が自ずと開状態となり、それによって、脱衣室１１内の空気が換気口４８を通じて浴室１２側へ流れ込み換気が行われるようになっている。
【００４６】
差込板部４１ｄは、上突片１８ａの上面と開口フレーム材２６ａの下面との間に挟み込まれて設けられており、その状態でビス５１により上突片１８ａとともに開口フレーム材２６ａに固定されている。つまり、差込板部４１ｄと上突片１８ａとは共通のビス５１により共締め固定されている。この場合、ビス５１は、上突片１８ａ及び差込板部４１ｄを貫通した状態で開口フレーム材２６ａに打ち付けられている。なお、差込板部４１ｄが固定板部に相当する。また、差込板部４１ｄと横板部４１ｂと後板部４１ｃとにより延出板部が構成されている。
【００４７】
また、差込板部４１ｄの上面は、前板部４１ａの上端部よりも高い位置に設定されている。換言すると、前板部４１ａの上端部は、差込板部４１ｄの上面よりも低い位置に設定されている。したがって、上額縁４１において、横板部４１ｂの下面から差込板部４１ｄの上面までの上下高さＨは、横板部４１ｂの下面から前板部４１ａの上端部までの上下高さ、すなわち前板部４１ａの幅Ｗ３（上下幅）よりも大きくなっている（Ｈ＞Ｗ３）。これにより、脱衣室１１の天井面３８が開口フレーム材２６ａの下面（壁面材２４の開口部２８の開口上端）よりも低い位置にある本実施形態の構成にあっても、上額縁４１を取り付けることが可能となっている。
【００４８】
なお、上記の上額縁４１を出入口１４の上縁部に取り付ける際には、まず上額縁４１の内側に下地材４５を嵌め込み、その状態で上額縁４１の差込板部４１ｄを脱衣室１１側からドア枠１５の上突片１８ａと開口フレーム材２６ａの下面との間に差し込む。そして、その差し込み状態で、ビス４６，５１により上額縁４１を開口フレーム材２６ａに固定する。
【００４９】
上述した上額縁４１の取付構造によれば、脱衣室１１が下がり天井であっても、その天井下（天井面材３７の下面側）に前板部４１ａが配置されるため、前板部４１ａの上下幅Ｗ３全体を脱衣室１１に面して配置することができる。これにより、脱衣室１１が下がり天井であっても、脱衣室１１側から見た出入口１４周辺の見栄えが損なわれるのを抑制することができる。特に、本実施形態の場合、上額縁４１の前板部４１ａの幅Ｗ３が、各縦額縁４２，４３の前板部４２ａ，４３ａの幅Ｗ１，Ｗ２と同じとなっているため、出入口１４周辺の見栄えが損なわれるのを顕著に抑制することができる。
【００５０】
以上、詳述した本実施形態の構成によれば、以下の優れた効果が得られる。
【００５１】
脱衣室１１が通常の天井高さを有している場合には、上額縁としてＬ字状のものが用いられると考えられる。その場合、その横板部が上突片１８ａと開口フレーム材２６ａとの間に差し込まれて固定されると考えられる。そこで、本実施形態では、この点に鑑みて、上額縁４１に、上突片１８ａと開口フレーム材２６ａとの間に差し込まれ、その状態で上突片１８ａに固定される差込板部４１ｄを設けた。この場合、上突片１８ａよりも下方へ延びる前板部４１ａを有する本上額縁４１について、Ｌ字状の上額縁と同じ固定構成で、換言するとＬ字状の上額縁と同じ高さ位置で、上突片１８ａに固定することが可能となる。そのため、本上額縁４１（換言すると低天井空間用の上額縁４１）を用いる場合にも、Ｌ字状の上額縁（換言すると通常天井高さ用の上額縁）を用いる場合にも、上突片１８ａの高さ位置は同じ高さ位置であればよく、その結果、脱衣室１１が低天井空間であってもなくても同じ高さ寸法のドア枠１５（及び浴室ドア１６）を用いることが可能となる。これにより、ドア枠１５及び浴室ドア１６の共通化を図りながら、出入口１４周辺の見栄えが損なわれるのを抑制することが可能となる。
【００５２】
上額縁４１において、前板部４１ａと横板部４１ｂと後板部４１ｃとによりコ字状部を形成したため、前板部４１ａと横板部４１ｂとによってＬ字形状を形成することができる。この場合、縦額縁４２，４３がＬ字状をなしているため、上額縁４１と縦額縁４２，４３との見栄えを合わせ易い。そのため、脱衣室１１側から見た出入口１４周辺の見栄えが損なわれるのをより一層抑制することができる。
【００５３】
上額縁４１において、ドア枠１５の上端部付近に設けられた換気口４８と対向配置された後板部４１ｃを、換気口４８から離間させることで後板部４１ｃと換気口４８との間に通気確保スペース５２を形成した。上額縁４１に、前板部４１ａ（の下端部）と差込板部４１ｄとを上下に連結する部分が存在する構成では、当該部分によって換気口４８を塞いてしまうことが懸念されるが、換気口４８の手間側（脱衣室１１側）に通気確保スペース５２を設けた上記の構成によれば、同スペース５２により換気口４８を通じた脱衣室１１と浴室１２との間の通気を確保することができる。
【００５４】
本発明は上記実施形態に限らず、例えば次のように実施されてもよい。
【００５５】
（１）上額縁４１の断面形状（長手方向に対して直交する方向の断面形状）は、必ずしも上記実施形態のものに限定されない。例えば図５（ａ）に示す上額縁６１は、前板部６１ａと、前板部６１ａの下端部から浴室１２側に向けて上方傾斜して延びる傾斜板部６１ｂと、傾斜板部６１ｂの上端部から浴室１２側に向けて延びる差込板部６１ｃとを有して構成されている。
【００５６】
また、図５（ｂ）に示す上額縁６２は、図５（ａ）の上額縁６１とは異なり、傾斜板部６２ｂが湾曲形状をなしている。具体的には、傾斜板部６２ｂが、固定板部６２ｃの脱衣室１１側の端部から脱衣室１１側に向かうにつれて下方に湾曲するように形成されている。
【００５７】
さらに、図５（ｃ）に示す上額縁６３は、図５（ｂ）の上額縁６２とは異なり、傾斜板部６３ｂが傾斜板部６２ｂとは逆向きに湾曲形成されている。つまり、傾斜板部６３ｂは、前板部６３ａの下端部から浴室１２側へ向かうにつれて上方に湾曲するように形成されている。
【００５８】
なお、上記各上額縁６１〜６３においては、その傾斜板部６１ｂ〜６３ｂがそれぞれ連結板部に相当する。また、これら各傾斜板部６１ｂ〜６３ｂはそれぞれ、換気口４８と対向する対向板部にも相当し、各傾斜板部６１ｂ〜６３ｂと換気口４８との間にはそれぞれ通気確保スペース６１ｄ〜６３ｄが形成されている。
【００５９】
（２）上記実施形態では、上額縁４１の前板部４１ａの幅Ｗ３を、各縦額縁４２、４３の前板部４２ａ，４３ａの幅Ｗ１，Ｗ２と同じとしたが、これを変更して、前板部４１ａの幅Ｗ３を前板部４２ａ，４３ａの幅Ｗ１，Ｗ２より小さくしてもよいし、又は大きくしてもよい。要するに、前板部４１ａの幅Ｗ３を前板部４２ａ，４３ａの幅Ｗ１，Ｗ２と近い幅に設定すれば、脱衣室１１側から見た出入口１４周辺の見栄えが損なわれるのを抑制できる。
【００６０】
（３）上記実施形態では、ドア枠１５の上端部付近に換気口４８が設けられていたが、浴室ドア１６の上端部付近に換気口が設けられている場合もありうる。その場合にも、後板部４１ｃを、浴室ドア１６の換気口と離間対向させて配置し、当該換気口との間に通気確保スペースを形成すればよい。
【００６１】
（４）上記実施形態では、天井面材３７の天井面３８が、壁面材２４の開口部２８の開口上端よりも低い位置に設定されていたが、場合によっては、天井面３８が、開口部２８の開口上端と同じ高さ位置に設定されていたり、開口部２８の開口上端よりも若干高い位置に設定されていたりすることもある。これらの場合にも、間仕切壁１３の壁面１３ａにおける出入口１４の上方部分が概ね天井裏に隠れてしまうため、本発明の上額縁４１を適用することで、上記実施形態と同様の効果が得られる。
【００６２】
（５）上記実施形態では、脱衣室１１と浴室１２とを仕切る間仕切壁１３の出入口１４に本発明の上額縁４１を適用したが、他の屋内空間同士を仕切る間仕切壁の出入口に本発明を適用してもよい。
【００６３】
また、本発明は必ずしも人の出入りが可能な出入口に適用する必要はなく、例えば脱衣室１１と屋外空間（又はバルコニー空間等の半屋外空間）とを仕切る外壁部（壁体に相当）に形成された窓部（開口部に相当）に適用してもよい。
【符号の説明】
【００６４】
１１…屋内空間、低天井空間及び浴室隣接空間としての脱衣室、１２…浴室、１３…壁体としての間仕切壁、１４…開口部としての出入口、１５…建具枠としてのドア枠、１６…建具及びドアとしての浴室ドア、１８ａ…上突片、３７…下がり天井としての天井面材、４１…上額縁、４１ａ…前板部、４１ｂ…横板部、４１ｃ…対向板部としての後板部、４１ｄ…固定部としての差込板部、４２…縦額縁、４２ａ…前板部、４３…縦額縁、４３ａ…前板部、４８…通気開口部としての換気口、５２…通気確保スペース。
【図１】
2015055072.tif 000003
【図２】
2015055072.tif 000004
【図３】
2015055072.tif 000005
【図４】
2015055072.tif 000006
【図５】
2015055072.tif 000007
【図６】
2015055072.tif 000008